(57)【要約】【課題】ファクシミリ装置等の画像通信装置が、無停電電源装置の停電信号に呼応し、省電力モードに移行した場合、受信以外の機能が使用不可であっても、上記受信されたデータの内容を確認することができる画像通信装置を提供することを目的とするものである。【解決手段】画像データを受信する受信手段と、公衆回線に接続し別の画像通信装置と通信する通信手段と、画像データを出力せずに蓄積する蓄積手段とを備え、商用電源に接続された無停電電源装置から電力が供給される画像通信装置において、上記商用電源が停止し、上記無停電電源装置内のバッテリから電力が供給され、上記無停電電源装置から異常信号を検知した場合、受信したデータを上記蓄積手段に蓄積させ、また、受信したデータを、別の画像通信装置に送信するように上記通信手段を制御する制御手段を有する画像通信装置である。【選択図】  図４
2005026855.tif 000002
【特許請求の範囲】
【請求項１】
画像データを受信する受信手段と、公衆回線に接続し別の画像通信装置と通信する通信手段と、画像データを出力せずに蓄積する蓄積手段とを備え、商用電源に接続された無停電電源装置から電力が供給される画像通信装置において、
上記商用電源が停止し、上記無停電電源装置内のバッテリから電力が供給され、上記無停電電源装置から異常信号を検知した場合に、受信したデータを上記蓄積手段に蓄積させ、また、受信したデータを、別の画像通信装置に送信するように、上記通信手段を制御する制御手段を有することを特徴とする画像通信装置。
【請求項２】
請求項１において、
上記商用電源からの電力供給が回復した場合、上記無停電電源装置からの復帰信号に呼応し、電源停止前の状態に戻す復帰手段を有することを特徴とする画像通信装置。
【請求項３】
画像データを受信する受信手段と、公衆回線に接続し別の画像通信装置と通信する通信手段と、画像データを出力せずに蓄積する蓄積手段とを備え、商用電源に接続された無停電電源装置から電力が供給される画像通信装置の制御方法において、
上記商用電源が停止し、上記無停電電源装置内のバッテリから電力が供給され、上記無停電電源装置から異常信号を検知した場合に、受信したデータを上記蓄積手段に蓄積させ、また、受信したデータを、別の画像通信装置に送信するように制御することを特徴とする画像通信装置の制御方法。
【請求項４】
請求項３において、
上記商用電源からの電力供給が回復した場合、上記無停電電源装置からの復帰信号に呼応し、電源停止前の状態に戻すことを特徴とする画像通信装置の制御方法。
【発明の詳細な説明】
【０００１】
【発明の属する技術分野】
本発明は、無停電電源装置に接続されたファクシミリ装置等の画像通信装置と、その停電時における画像通信装置の制御方法とに関する。
【０００２】
【従来の技術】
近年、マルチメディア化に伴い、家庭でもパーソナルコンピュータ（以下ＰＣ）を使用する場合が増えている。ＰＣは、電源トラブルに対して非常にデリケートであり、停電など、電源異常があると、データを壊すことがある。このような電源トラブルを回避するために、無停電電源装置が接続されているＰＣが増えている。
【０００３】
また、最近のファクシミリ装置として、ＦＡＸ送信機能だけでなく、コピー機能やプリンタ機能を有するファクシミリ装置が増加している。
【０００４】
このようなファクシミリ装置では、送信時の作業時間の短縮などを目的として、原稿を送信する際にメモリ送信を行うことが主流である。メモリ送信を行う場合、相手側ファクシミリ装置が受信する前に、オペレータが、送信中のファクシミリ装置から離れる場合が多いので、受信側のファクシミリ装置の状態がわからない。たとえば、受信側のファクシミリ装置が停電等によって長時間停止している場合、再送信が必要であり、送信者に負担がかかるが、送信者が再送信を忘れると、相手側のファクシミリ装置に原稿が届かないという弊害が生じる。この弊害を阻止するには、ファクシミリ装置にも、ＰＣなどと同様に、無停電電源装置に接続する必要があり、このように無停電電源装置に接続されているファクシミリ装置が増加している。
【０００５】
しかし、無停電電源装置がファクシミリ装置に供給できる電力量には限界があり、商用電源の停止が長時間にわたると、ファクシミリ装置の動作を維持することができないという欠点がある。この欠点を解決するものとして、停電発生後、無停電電源装置のバッテリ消費を軽減するために、省電力モードに移行し、ＦＡＸ受信に必要のないユニットへの電源供給を停止する技術が知られている（たとえば、特許文献１参照）
【０００６】
【特許文献１】
特開平１０−１８６９６８号公報
【０００７】
【発明が解決しようとする課題】
無停電電源装置に接続された従来のファクシミリ装置では、停電時に受信された画像データは、内部メモリ等に蓄積され、ＦＡＸ受信に必要の無い画像出力機能が停止されているので、停電中は、受信された画像データを確認することが不可能であるという問題がある。
【０００８】
上記問題は、パソコン等、ファクシミリ装置以外の画像通信装置においても生じる問題である。
【０００９】
本発明は、ファクシミリ装置等の画像通信装置が、無停電電源装置の停電信号に呼応し、省電力モードに移行した場合、受信以外の機能が使用不可であっても、上記受信されたデータの内容を確認することができる画像通信装置を提供することを目的とするものである。
【００１０】
【課題を解決するための手段】
本発明は、画像データを受信する受信手段と、公衆回線に接続し別の画像通信装置と通信する通信手段と、画像データを出力せずに蓄積する蓄積手段とを備え、商用電源に接続された無停電電源装置から電力が供給される画像通信装置において、上記商用電源が停止し、上記無停電電源装置内のバッテリから電力が供給され、上記無停電電源装置から異常信号を検知した場合、受信したデータを上記蓄積手段に蓄積させ、また、受信したデータを、別の画像通信装置に送信するように上記通信手段を制御する制御手段を有する画像通信装置である。
【００１１】
【発明の実施の形態および実施例】
図１は、本発明の一実施例であるファクシミリ装置ＦＳ１を示すブロック図である。
【００１２】
ファクシミリ装置ＦＳ１は、制御部１と、ＲＯＭ２と、画像読取部３と、ＲＡＭ４と、記録部５と、操作部６と、モデム（変復調装置）７と、網制御部８と、電源信号検知部９とを有する。
【００１３】
制御部１は、システムバスを介して、ファクシミリ装置ＦＳ１の全体を制御する。ＲＯＭ２は、ＭＰＵの動作のためのインストラクション群等のプログラムコード、オペレーティングシステム（ＯＳ）プログラムコード、初期値データ、テーブルデータ等を格納しているメモリである。画像読取部３は、所定の解像度で光学的に読み取った画像を、電気的な画像信号に変換する。
【００１４】
ＲＡＭ４は、画像バッファ、画像メモリ等に使用されるメモリであり、ファクシミリ送受信する際の画像データを一時的に保持するバッファとして使用され、また、受信された画像データをファイルとして蓄積するためのメモリとして使用される。記録部５は、記録画像処理部、記録制御部、画像メモリ、プリンタ等によって構成されている。
【００１５】
操作部６は、ダイヤルするときやデータを登録、設定するときなどに用いるテンキー、各種機能を利用するためのファンクションキー、電話番号等を登録しておきワンタッチでダイヤルする場合等に用いるワンタッチキー、送信や受信、コピーなどを始めるときに用いるスタートキー、送信、登録や設定などの動作を中止したいときに用いるストップキー等の各種キースイッチ、通信状況の確認やデータの登録、設定、確認メッセージ等、各種メッセージの表示を行うＬＣＤ、通信中に点灯するランプ、各種エラー時に点灯するランプ、送信モード等を表示するランプ等の各種ＬＥＤ等によって構成され、ファクシミリ装置ＦＳ１の状態、発呼する相手の電話番号、時刻情報、操作手順等を表示する。また、操作部６は、ファクシミリ装置ＦＳ１が省電力モードに移行し、ＦＡＸ受信があった場合に、送信する別ＦＡＸを設定する。
【００１６】
モデム（変復調装置）７は、電話回線Ｌ１を通じて他の機器と通信するために、送信する信号を変調し、受信する信号を復調する機能を持つ。
【００１７】
網制御部８は、ファクシミリ装置ＦＳ１を、公衆回線ＮＷに接続するためのものであり、通信回線に対する発呼、着呼等、回線制御を行う。網制御部８は、自動発着信機能を持ち、また、公衆回線ＮＷを通じて、別のファクシミリ装置ＦＳ２（パソコン等、別の画像通信装置でもよい）とデータを送受信する。
【００１８】
電源信号検知部９は、無停電電源装置２０からの信号を検知する。
【００１９】
図２は、無停電電源装置２０の構成を示すブロック図である。
【００２０】
無停電電源装置（ＵＢＴ）２０は、商用電源１０に接続されている整流器２１と、整流器２１と並列に接続されているバッテリＢＴと、整流器２１とバッテリＢＴとに接続されているインバータ２２とを備えている。
【００２１】
無停電電源装置２０は、商用電源１０が正常時に、商用電源１０と同期しながら、インバータ２２を介して、ファクシミリ装置ＦＳ１に安定した電力を供給する。バッテリＢＴが充電されていない場合、同時に充電を行う。
【００２２】
商用電源１０に停電等の異常が発生すると、バッテリＢＴに充電されている電力をインバータ２２が変換し、負荷であるファクシミリ装置ＦＳ１に、出力ラインＬ３を通じて供給する。このときに、電源異常であることを示す信号を、信号ラインＬ２を通じて、ファクシミリ装置ＦＳ１に出力する。
【００２３】
図３は、上記実施例の動作を示すフローチャートであり、商用電源１０が停止した場合におけるファクシミリ装置ＦＳ１の動作を示すフローチャートである。
【００２４】
図３に示す処理動作を、制御部１が、所定時間ごとに実行する。
【００２５】
ステップＳ１で、信号検知部９が異常信号を検知すると、その後に、ステップＳ２では、停電である旨の表示を操作部６で表示する。
【００２６】
停電である旨を表示した後に、ステップＳ３では、ファクシミリ装置ＦＳ１は省電力モードに移行し、消費電力の低減を図る。省電力モードでは、ＦＡＸ受信に必要のないユニットへの電源供給を停止するために、ファクシミリの送信動作を中止し、受信動作のみを維持する。また、ＦＡＸ受信に必要のないユニットには電源供給していないので、コピー機能、スキャナ機能は使用不可になる。
【００２７】
商用電源１０が復旧すると、ステップＳ４で、信号検知部９が復帰信号を感知し、省電力モードを解除し、ステップＳ５では、省電力モードから回復し、ファクシミリ装置ＦＳ１を、通常制御に戻し、メモリ受信されたデータがあれば、それを出力する。ステップＳ６では、停電が復帰した旨を、操作部６に表示し、通常制御状態に移行する。
【００２８】
図４は、上記実施例の動作を示すフローチャートであり、ＦＡＸ受信があった場合におけるファクシミリ装置ＦＳ１の動作を示すフローチャートである。
【００２９】
この処理を、制御部１が、所定時間ごとに実行する。
【００３０】
ＦＡＸ受信があれば（Ｓ１１）、受信処理を実行し、受信されたデータは、ＲＡＭ１０４に保存される。ファクシミリ装置ＦＳ１が省電力モードであれば（Ｓ１２）、保存されたデータを、予め設定された別のファクシミリ装置ＦＳ２に直ちに送信し（Ｓ１３）、終了する。ファクシミリ装置ＦＳ１が、省電力モードではなく、通常動作していれば（Ｓ１２）、ＲＡＭ１０４に保存されているデータを印刷し（Ｓ１４）、終了する。
【００３１】
上記実施例によれば、ファクシミリ装置ＦＳ１が、無停電電源装置の停電信号を受信し、省電力モードに移行している場合、受信以外の機能が使用不可であっても、上記受信したデータを、別のファクシミリ装置ＦＳ２に送信するので、上記受信されたデータの内容を確認することができる。
【００３２】
また、上記実施例によれば、また、消費電力の小さい送信機能を使用するので、受信されたデータを印刷する場合よりも、無停電電源装置による受信可能時間を延ばすことができる
上記実施例を、パソコン等、ファクシミリ装置以外の画像通信装置にも適用することができる。
【００３３】
また、ステップＳ１３において、保存されたデータを、予め設定された別のファクシミリ装置ＦＳ２に送信する場合、上記別のファクシミリ装置ＦＳ２の代わりに、パソコン等、ファクシミリ装置以外の画像通信装置装置に送信するようにしてもよい。
【００３４】
【発明の効果】
請求項１、３記載の発明によれば、ファクシミリ装置が、無停電電源装置の停電信号を受信し、省電力モードに移行している場合、受信以外の機能が使用不可であっても、上記受信したデータを、別の画像通信装置に送信するので、上記受信されたデータの内容を確認することができるという効果を奏する。
【００３５】
また、消費電力の小さい送信機能を使用するので、受信されたデータを印刷する場合よりも、無停電電源装置による受信可能時間を延ばすことができるという効果を奏する。
【００３６】
請求項２、４記載の発明によれば、停止していた商用電源から電力供給が再開された場合、電源停止前の通常制御に、ファクシミリ装置を復帰させるので、使用者の作業を低減することができるという効果を奏する。
【図面の簡単な説明】
【図１】本発明の一実施例であるファクシミリ装置ＦＳ１を示すブロック図である。
【図２】無停電電源装置２０の構成を示すブロック図である。
【図３】上記実施例の動作を示すフローチャートであり、商用電源１０が停止した場合におけるファクシミリ装置ＦＳ１の動作を示すフローチャートである。
【図４】上記実施例の動作を示すフローチャートであり、ＦＡＸ受信があった場合におけるファクシミリ装置ＦＳ１の動作を示すフローチャートである。
【符号の説明】
ＦＳ１…ファクシミリ装置、
１…制御部、
１０…商用電源、
２０…無停電電源装置、
ＢＴ…蓄電池、
ＦＳ２…別のファクシミリ装置。
【図１】
2005026855.tif 000003
【図２】
2005026855.tif 000004
【図３】
2005026855.tif 000005
【図４】
2005026855.tif 000006